(57)【要約】【課題】  立体的表現効果によるデザイン性向上と、偽造防止を図ることのできるカードの提供。【解決手段】  基材は、二以上の透明センターコアシート１，２が重合された多層構造とされる。基材表面の少なくとも一部が、印刷を施されない無印刷部３ａとされる。基材表面を構成する面以外のいずれかの面には、少なくとも無印刷部３ａから視認可能な印刷５が施される。最下層のセンターコアシート２裏面には、全面に不透過インキによる印刷６が施される。【選択図】      図２
2005262891.tif 000002
【特許請求の範囲】
【請求項１】
透光性を有する素材により形成されたセンターコアシートを基材とし、
この基材表面の少なくとも一部が、印刷を施されない無印刷部とされた
ことを特徴とする透過素材を用いたカード。
【請求項２】
基材表面を構成する面以外のいずれかの面には、前記無印刷部から視認可能な印刷が施される
ことを特徴とする請求項１に記載の透過素材を用いたカード。
【請求項３】
前記基材は、二以上の透明センターコアシートが重合された多層構造とされ、
最上層のセンターコアシート表面には、前記無印刷部を残すよう部分的に印刷が施され、
最上層のセンターコアシート表面を除き、各センターコアシートの表面ないし裏面のいずれかには、少なくとも前記無印刷部と対応した位置に印刷が施される
ことを特徴とする請求項２に記載の透過素材を用いたカード。
【請求項４】
最下層のセンターコアシート裏面には、全面に不透過インキによる印刷が施される
ことを特徴とする請求項１から請求項３までのいずれかに記載の透過素材を用いたカード。
【発明の詳細な説明】
【技術分野】
【０００１】
本発明は、キャッシュカード、クレジットカード、ＩＣカード、メンバーズカードなどの各種カードに関し、特に立体的表現によってデザイン性を高めたカード（主にＪＩＳ規格における識別カード）に関するものである。
【背景技術】
【０００２】
図４は、従来のカードの概略断面図である。
この図に示すように、従来のカードは、ベースを構成するセンターコアＡが一枚の不透明板（白色の板）から形成され、その表面に各色による重複印刷Ｂが施され、表裏面それぞれにＯＰニス或いはオーバーレイＣ，Ｃが設けられてなるものであった。
【発明の開示】
【発明が解決しようとする課題】
【０００３】
しかしながら、従来のカードは、不透明板表面に印刷を施して構成するだけであったから、カードに立体的表現を施せず、デザイン性に乏しいものであった。
【０００４】
また、従来のカードは、不透明板表面に印刷を施すだけの単純な構成であったから、コピーによる偽造を招くおそれがあり、そのセキュリティ向上が望まれていた。
【０００５】
本発明は、上記事情に鑑みてなされたものであり、その主たる目的は、立体的表現効果によるデザイン性向上を図り、また偽造防止によるセキュリティ向上を図ることのできるカードを提供することにある。
【課題を解決するための手段】
【０００６】
上記課題を解決するために、本発明の透過素材を用いたカードは、透光性を有する素材により形成されたセンターコアシートを基材とし、この基材表面の少なくとも一部が、印刷を施されない無印刷部とされたことを特徴とする。
【０００７】
また、好ましくは上記構成に加えて、基材表面を構成する面以外のいずれかの面には、前記無印刷部から視認可能な印刷が施されることを特徴とする透過素材を用いたカードである。
【０００８】
さらに好ましくは上記構成に加えて、前記基材は、二以上の透明センターコアシートが重合された多層構造とされ、最上層のセンターコアシート表面には、前記無印刷部を残すよう部分的に印刷が施され、最上層のセンターコアシート表面を除き、各センターコアシートの表面ないし裏面のいずれかには、少なくとも前記無印刷部と対応した位置に印刷が施されることを特徴とする透過素材を用いたカードである。
【０００９】
一層好ましくは上記構成に加えて、最下層のセンターコアシート裏面には、全面に不透過インキによる印刷が施されることを特徴とする透過素材を用いたカードである。
【発明の効果】
【００１０】
以上詳述したように、本発明のカードによれば、透光性を有するセンターコアシートを用いたので、印刷箇所を調整することで、カードの厚さ方向の奥行きを利用して、デザインに立体感をもたせることができる。つまり、カード厚さ方向の異なった層に印刷することで、立体表現効果を実現することができる。
【００１１】
また、センターコアシートを多層構造として、多層部分に印刷を施すことで、偽造防止によるセキュリティの向上を図ることができる。
【発明を実施するための最良の形態】
【００１２】
以下、本発明のカードについて、実施例に基づき更に詳細に説明する。
図１は、本発明のカードの一実施例を示す斜視図である。また、図２は、このカードの製作状況の概略を示す縦断面図である。
【００１３】
図２（Ｅ）は、カード完成状態の縦断面図である。この図に示すように、本実施例のカードには、上下２枚のセンターコアシート１，２が重合された基材が使用される。各センターコアシート１，２は、透光性を有する素材により形成される。なお、無色透明でも有色透明でもよい。本実施例では、無色透明の硬質塩化ビニールにより形成されている。
上下の各センターコアシート１，２は、同一厚さとされ、例えば両者合わせて0.7mmの厚さに設定される。
【００１４】
このカードの製作について説明すると、図２（Ａ）に示すように、上側のセンターコアシート１の表面（上面）には、シルク印刷などにて印刷３が施される。この際、全面に印刷するのではなく、少なくとも一部は印刷を施されずに無印刷部３ａとして残される。従って、この無印刷部３ａから下層が視認可能とされる。そして、同図（Ｂ）に示すように、この上側センターコアシート１の表面には、ＯＰニス４が塗布される。なお、ＯＰニス４に代えて、透明フィルムを重合してもよい。
【００１５】
一方、下側のセンターコアシート２の裏面にも、同図（Ｃ）及び（Ｄ）に示すように印刷５，６が施される。本実施例では、下側センターコアシート２の裏面に、第一印刷５が施された後、この第一印刷５を覆い隠すよう第二印刷６が施される。なお本実施例では、第一印刷５は、その少なくとも一部が前記無印刷部３ａに対応した位置に配置されることで、無印刷部３ａを介してカード表面から視認可能とされる。
【００１６】
また、本実施例の第二印刷６は、下側センターコアシート２の裏面全域を覆うよう施される。この際、不透過インキによる印刷を施せば、カード全体の透光性を防止でき、カードの使用時に、カード読取機においてカードが差し込まれたか否かを光学的センサー等で検知できることになる。また、カード裏面全体を一旦塗りつぶすことで、各種注意書や説明文などをカード裏面に印刷できることになる。この場合、第二印刷後に、説明文等の第三印刷が施されることになる。
下側センターコアシート２の裏面には、図２（Ｄ）に示すように、ＯＰニス７が塗布される。なお、ＯＰニス７に代えて、透明フィルムを重合してもよい。
【００１７】
このようにして製作された上下のセンターコアシート１，２は、同図（Ｅ）に示すように、互いに重ね合わされて一体化される。つまり、本実施例では、下側センターコアシート２上面に、上側センターコアシート１下面が重ね合わされてプレスされ、熱圧着される。
【００１８】
そして、このようにして製作された基材シートを所定の大きさに打ち抜いてカードが形成される。なお、カードの厚さや大きさは、特に問わないがキャッシュカードやクレジットカードなどへの適用の場合にはＪＩＳ規格に沿ったものとされる。
【００１９】
上側センターコアシート１表面の無印刷部３ａを通して下層の印刷面５が見られるので、上側センターコアシート１表面の印刷による情報と、下層印刷面５の二つの情報を提供できることになる。図１の例では、上側センターコアシート１表面に白抜き（無印刷部３ａ）でトラのイラストを印刷する一方、下側センターコアシート２裏面に「ＴＩＧＥＲ」の文字５を印刷した例を示した。よって、トラのイラストの無印刷部３ａを介して、下層の「ＴＩＧＥＲ」の文字５を視認できることになる。しかも、印刷面がカードの厚さ方向に異なるので、デザインに立体感をもたせたものとなる。
【００２０】
本発明のカードは、キャッシュカード、クレジットカード、メンバーズカード、ＩＣカードなどの各種のカードに対応可能である。従って、磁気テープやＩＣなどを内蔵可能である。例えば、磁気テープは、基材の表面（例えば上側センターコアシートの表面）に貼り付けておけばよい。この場合において、その磁気テープ上に印刷を施すことで、磁気テープを印刷面の中に隠して、カード表面から視認できないよう消すこともできる。なお、各種メンバーズカードなどの場合には、磁気媒体やＩＣなどをカードに内蔵させる必要がない場合もある。
【００２１】
上記実施例では、センターコアを上下２枚のセンターコアシート１，２から構成する例について説明したが、センターコアシートの枚数は適宜に変更可能である。例えば、図３に示すように、３枚のセンターコアシート１，２，８の重合により構成してもよい。本実施例のカードは、センターコアシートの積層枚数を除き、基本的には前記図２の実施例のカードと同様の構成であるから、以下では両者の異なる点を中心に説明する。
【００２２】
この図３のカードの場合、上側センターコアシート１の表面に印刷３が施されるが、この場合も、一部に無印刷部３ａが残されて印刷される。そして、上側センターコアシート１表面以外の各センターコアシートの表面ないし裏面には、適宜の印刷を施すことができる。つまり、本実施例では、上側センターコアシート１の裏面、中間センターコアシート８の表面ないし裏面、下側センターコアシート２の表面ないし裏面のそれぞれに印刷を施すことができる。なお、印刷は、各色による重複印刷も可能である。
【００２３】
図示例では、中間センターコアシート８の表面と、下側センターコアシート２の裏面にそれぞれ印刷９，５，６が施される。なお、下側センターコアシート２裏面には、カードの一部にのみ第一印刷５が施された後、センターコアシート裏面全域に第二印刷６が施されている。そして、下側センターコアシート２裏面の第一印刷５と、中間センターコアシート８表面の印刷９は、それぞれ上側センターコアシート１表面の無印刷部３ａに対応した位置に配置される。
【００２４】
本実施例のカードも、前記実施例の場合と同様に、上側センターコアシート１表面にＯＰニス４が塗布されると共に、下側センターコアシート２裏面にもＯＰニス７が塗布される。また、上中下の各センターコアシート１，８，２を重ね合わせて、熱圧着されてなる。
【００２５】
上記各実施例のカードによれば、プラスチックカードにおける印刷表現を多層構造、多重面印刷により多様化し、それによりカードに立体効果を出すことができる。つまり、透明センターコアシートを重ね合わせ、カード表面から視認できるよう下層に印刷を施すことで、カード厚さ方向の奥行きを利用して、デザインに立体感をもたせることができる。すなわち、カード表面から進入した光は、透明のベース層（オーバーレイ、基材）を透過して、下層の印刷面で反射するので、立体的に見えることになる。
【００２６】
ところで、ＪＩＳ規格では、カードの表裏における光の透過率が定められているので、従来はベース素材（基材）に透過性のない素材を使用していたが、上記実施例のカードでは、透過素材を使用してカードに立体感をもたせる反面、印刷によって透過性を抑えることでＪＩＳ規格への対応を可能とした。
【００２７】
また、上記実施例のカードでは、透過素材の多層構造を採用することで重層印刷が可能になったので、コピーなどによる偽造を防ぐことができ、セキュリティ性の向上を図ることができる。
【００２８】
なお、本発明の透過素材を用いたカードは、上記実施例の構成に限らず、適宜変更可能である。
例えば、カードには、各種文字や数値をエンボス加工してもよい。
【００２９】
また、図１では、トラのイラストと「ＴＩＧＥＲ」の文字とを異なる層に印刷した例を示したが、カードの各層に印刷する文字・数値・記号やイラストなどは、適宜に変更できるのは言うまでもない。
さらに、カードを構成する材料や製作方法についても、上記実施例に拘束されず適宜に変更可能である。
【図面の簡単な説明】
【００３０】
【図１】本発明の透過素材を用いたカードの一実施例を示す斜視図である。
【図２】図１のカードの製作状況を示す概略縦断面図である。
【図３】本発明の透過素材を用いたカードの他の実施例を示し、その製作状況の概略縦断面図である。
【図４】従来のカードの概略縦断面図である。
【符号の説明】
【００３１】
１，２，８  センターコアシート
３，５，６，９  印刷
４，７  ＯＰニス
３ａ  無印刷部
【図１】
2005262891.tif 000003
【図２】
2005262891.tif 000004
【図３】
2005262891.tif 000005
【図４】
2005262891.tif 000006